(57)【要約】【課題】仕訳パラメータが変更された場合でも、容易に仕訳を行う情報処理装置を提供する。【解決手段】会計管理データを仕訳する仕訳パラメータを、仕訳パラメータを識別する仕訳番号に関連づけて記憶する仕訳パラメータ設定手段２４と、会計管理データを識別する伝票番号に関連づけられた会計管理データを、仕訳パラメータに従って仕訳して伝票番号に関連づけられた仕訳データを作成し、更に会計管理データを仕訳した仕訳パラメータの仕訳番号を、伝票番号に関連づけて記憶する仕訳手段２２を備える。仕訳パラメータ設定手段２４によって仕訳パラメータが変更されると、変更された仕訳パラメータの仕訳番号に関連づけられた会計管理データを抽出し、抽出した会計管理データを変更された仕訳パラメータで再び仕訳して、抽出した会計管理データの伝票番号に関連づけられた仕訳データと置換する再仕訳手段２３を更に備えても良い。【選択図】図１
2005084915.tif 000002
【特許請求の範囲】
【請求項１】
会計管理データを仕訳する仕訳パラメータを、前記仕訳パラメータを識別する仕訳番号に関連づけて記憶する仕訳パラメータ設定手段と、
前記会計管理データを識別する伝票番号に関連づけられた前記会計管理データを、前記仕訳パラメータに従って仕訳して前記伝票番号に関連づけられた仕訳データを作成し、更に前記会計管理データを仕訳した前記仕訳パラメータの前記仕訳番号を、前記伝票番号に関連づけて記憶する仕訳手段と
を備えることを特徴とする情報処理装置。
【請求項２】
前記仕訳パラメータ設定手段によって前記仕訳パラメータが変更されると、変更された前記仕訳パラメータの前記仕訳番号に関連づけられた前記会計管理データを抽出し、抽出した前記会計管理データを変更された前記仕訳パラメータで再び仕訳して、前記抽出した会計管理データの前記伝票番号に関連づけられた仕訳データと置換する再仕訳手段
を更に備えることを特徴とする請求項１に記載の情報処理装置。
【請求項３】
前記会計管理データが建設業に関する場合、前記会計管理データは、工事の原価に関する原価データと、入出金に関する入出金データを含み、
前記原価データの前記仕訳パラメータは、伝票種別、要素及び工事情報のうちいずれか一つ以上の項目に関して設定され、
前記入出金データの前記仕訳パラメータは、金種、口座及び工事情報のうちいずれか一つ以上の項目に関して設定される
ことを特徴とする請求項１又は２に記載の情報処理装置。
【請求項４】
仕訳パラメータ設定手段によって、会計管理データを仕訳する仕訳パラメータを、前記仕訳パラメータを識別する仕訳番号に関連づけて記憶するステップと、
仕訳手段によって、前記会計管理データを識別する伝票番号に関連づけられた前記会計管理データを、前記仕訳パラメータに従って仕訳して前記伝票番号に関連づけられた仕訳データを作成し、更に前記会計管理データを仕訳した前記仕訳パラメータの前記仕訳番号を、前記伝票番号に関連づけて記憶するステップと
を備えることを特徴とする情報処理方法。
【請求項５】
前記仕訳パラメータ設定手段によって、前記仕訳パラメータが変更されると、再仕訳手段によって、変更された前記仕訳パラメータの前記仕訳番号に関連づけられた前記会計管理データを抽出し、抽出した前記会計管理データを変更された前記仕訳パラメータで再び仕訳して、前記抽出した会計管理データの前記伝票番号に関連づけられた仕訳データと置換するステップ
を更に備えることを特徴とする請求項４に記載の情報処理方法。
【請求項６】
前記会計管理データが建設業に関する場合、前記会計管理データは、工事の原価に関する原価データと、入出金に関する入出金データを含み、
前記原価データの前記仕訳パラメータは、伝票種別、要素及び工事情報のうちいずれか一つ以上の項目に関して設定され、
前記入出金データの前記仕訳パラメータは、金種、口座及び工事情報のうちいずれか一つ以上の項目に関して設定される
ことを特徴とする請求項４又は５に記載の情報処理方法。
【請求項７】
会計管理データを仕訳する仕訳パラメータを、前記仕訳パラメータを識別する仕訳番号に関連づけて記憶する仕訳パラメータ設定ステップと、
前記会計管理データを識別する伝票番号に関連づけられた前記会計管理データを、前記仕訳パラメータに従って仕訳して前記伝票番号に関連づけられた仕訳データを作成し、更に前記会計管理データを仕訳した前記仕訳パラメータの前記仕訳番号を、前記伝票番号に関連づけて記憶する仕訳ステップと
をコンピュータに実行させることを特徴とする情報処理プログラム。
【発明の詳細な説明】
【技術分野】
【０００１】
本発明は、会計管理データ、特に建設業に関する会計管理データの仕訳を行う情報処理装置、情報処理方法及び情報処理プログラムに関する。
【背景技術】
【０００２】
今日、企業や団体などの経済管理は、コンピュータを用いた経理システムにより仕訳などを含む会計処理や財務管理を行うことが一般化している。この場合、組織内において経費の取り扱いを管理するための会計管理データを作成し、その会計管理データに基づいて取引先との入出金データ、製品の原価データなどについて借方科目や貸方科目を決定し、経理システムで利用できる仕訳データの作成や会計処理などが行われる。
【０００３】
建設業の場合、この原価データとしては、業者の納品データ、業者の出来高データ、社員の出退勤に関する工事別出面実績データ、社員の出張・仮払・立替精算データなどが挙げられる。ここで、業者の納品データとは、業者から仕入れた材料等の納品書の内容を入力したデータをいい、業者の出来高データとは、業者に外注発注した工事の１ヶ月内の工事出来高（工事進捗）を入力したデータをいい、工事別出面実績データとは、社員が工事に要した工数データをいい、社員の出張・仮払・立替精算データとは、社員の出張精算、仮払い精算、立替精算のデータをいう。
【０００４】
この仕訳データの作成は、会計に精通した知識が必要になるため、業務ソフトウェアによりコンピュータ化されても、仕訳作業は困難であった。
【０００５】
又、取引内容を示すアイコンを用意し、簿記の知識がない利用者でもアイコンをクリックすることにより仕訳を自動的に呼び出し、仕訳の処理を行い、データベースに登録するシステムがある（例えば特許文献１）。この方法では指定されたアイコンの取引内容から自動的に仕訳ができるので、会計の知識がなくとも、仕訳を行うことができる。
【０００６】
更に、過去に発生した仕訳データから、同年同月の仕訳データを抽出し、金額の差異を修正することによって、自動的に仕訳するシステムがある（例えば特許文献２）。
【０００７】
しかし、この特許文献１においては、ユーザが業務内容からアイコンを選択する処理が生じ、自動的に仕訳を行うものではない。又、特許文献２については、年次定例の業務が多い会計システムの場合に好適であるが、年次定例外の業務が多い場合、新たに仕訳データを作成しなければならず、手間を要していた。
【０００８】
一般的には、原価データ、入出金データから仕訳データを自動的に作成する仕訳データ自動生成パラメータの規則に従い、仕訳データに変換している。
【特許文献１】特開２００２−２３０２５５号公報
【特許文献２】特開２００２−９９６９６号公報
【発明の開示】
【発明が解決しようとする課題】
【０００９】
しかし、仕訳パラメータで自動的に仕訳を行う場合でも、システム導入時など仕訳パラメータが変更する場合、既に仕訳データを作成した原価データ、入出金データを調査して、再度仕訳データを作成しなおす必要があった。
【００１０】
従って、本発明の目的は、仕訳パラメータが変更された場合でも、容易に仕訳を行う情報処理装置、情報処理方法及び情報処理プログラムを提供することである。
【課題を解決するための手段】
【００１１】
上記課題を解決するために、本発明の第１の特徴に係る情報処理装置は、会計管理データを仕訳する仕訳パラメータを、仕訳パラメータを識別する仕訳番号に関連づけて記憶する仕訳パラメータ設定手段と、会計管理データを識別する伝票番号に関連づけられた会計管理データを、仕訳パラメータに従って仕訳して伝票番号に関連づけられた仕訳データを作成し、更に会計管理データを仕訳した仕訳パラメータの仕訳番号を、伝票番号に関連づけて記憶する仕訳手段とを備える。
【００１２】
この様に本発明によれば、仕訳前の会計管理データに仕訳番号と伝票番号とを関連づけ、仕訳後の仕訳データに仕訳前の伝票番号を関連づけることによって、仕訳前の会計管理データ、仕訳後の仕訳データの追跡が容易である。
【００１３】
又、仕訳パラメータ設定手段によって仕訳パラメータが変更されると、変更された仕訳パラメータの仕訳番号に関連づけられた会計管理データを抽出し、抽出した会計管理データを変更された仕訳パラメータで再び仕訳して、抽出した会計管理データの伝票番号に関連づけられた仕訳データと置換する再仕訳手段を更に備えることが好ましい。
【００１４】
この場合、仕訳パラメータ設定手段によって、仕訳パラメータが変更されても、変更伝票の抽出や置換を容易に行うことができる。
【００１５】
又、会計管理データが建設業に関する場合、会計管理データは、工事の原価に関する原価データと、入出金に関する入出金データを含み、原価データの仕訳パラメータは、伝票種別、要素及び工事情報のうちいずれか一つ以上の項目に関して設定され、入出金データの仕訳パラメータは、金種、口座及び工事情報のうちいずれか一つ以上の項目に関して設定されることが好ましい。
【００１６】
この場合、建設業に関する会計データについて、的確に仕訳パターンを判別することができる。
【００１７】
本発明の第２の特徴に係る情報処理方法は、仕訳パラメータ設定手段によって、会計管理データを仕訳する仕訳パラメータを、仕訳パラメータを識別する仕訳番号に関連づけて記憶するステップと、仕訳手段によって、会計管理データを識別する伝票番号に関連づけられた会計管理データを、仕訳パラメータに従って仕訳して伝票番号に関連づけられた仕訳データを作成し、更に会計管理データを仕訳した仕訳パラメータの仕訳番号を、伝票番号に関連づけて記憶するステップとを備える。
【００１８】
又、仕訳パラメータ設定手段によって、仕訳パラメータが変更されると、再仕訳手段によって、変更された仕訳パラメータの仕訳番号に関連づけられた会計管理データを抽出し、抽出した会計管理データを変更された仕訳パラメータで再び仕訳して、抽出した会計管理データの伝票番号に関連づけられた仕訳データと置換するステップを更に備えることが好ましい。
【００１９】
又、会計管理データが建設業に関する場合、会計管理データは、工事の原価に関する原価データと、入出金に関する入出金データを含み、原価データの仕訳パラメータは、伝票種別、要素及び工事情報のうちいずれか一つ以上の項目に関して設定され、入出金データの仕訳パラメータは、金種、口座及び工事情報のうちいずれか一つ以上の項目に関して設定されることが好ましい。
【００２０】
本発明の第３の特徴に係る情報処理プログラムは、会計管理データを仕訳する仕訳パラメータを、仕訳パラメータを識別する仕訳番号に関連づけて記憶する仕訳パラメータ設定ステップと、会計管理データを識別する伝票番号に関連づけられた会計管理データを、仕訳パラメータに従って仕訳して伝票番号に関連づけられた仕訳データを作成し、更に会計管理データを仕訳した仕訳パラメータの仕訳番号を、伝票番号に関連づけて記憶する仕訳ステップとをコンピュータに実行させる。
【発明の効果】
【００２１】
従って本発明によれば、仕訳パラメータが変更された場合でも、容易に仕訳を行う情報処理装置、情報処理方法及び情報処理プログラムを提供することができる。  
【発明を実施するための最良の形態】
【００２２】
次に、図面を参照して、本発明の実施の形態を説明する。以下の図面の記載において、同一又は類似の部分には同一又は類似の符号を付している。
【００２３】
図１を参照して、本発明の最良の実施の形態に係る仕訳装置１と、仕訳装置１を利用した仕訳システム２について説明する。仕訳装置（情報処理装置）１は、中央処理制御装置、メモリなどを備える一般的なコンピュータに所定の処理を実行するソフトウェアプログラムをインストールすることによって実現される。
【００２４】
本発明の最良の実施の形態に係る仕訳装置１は、工事データ記憶装置１１、仕訳パラメータ記憶装置１２、原価データ記憶装置１３、入出金データ記憶装置１４、仕訳データ記憶装置１５、データ取得手段２１、仕訳手段２２、再仕訳手段２３、仕訳パラメータ設定手段２４、帳票作成手段２５、通信制御装置３１、入力装置３２、表示装置３３、入出力制御装置３４を備えている。
【００２５】
工事データ記憶装置１１は、仕訳装置１が管理する工事に関するデータを記憶した記憶装置で、図２に示すようなデータ構造とデータの例を備える。即ち、工事データ記憶装置１１は、工事を識別する工事コードと、工事名、工事の種別、完成か未成かを示す工事状態、現場住所、責任者名など、工事に関する情報が記憶する。
【００２６】
仕訳パラメータ記憶装置１２は、本発明の最良の実施の形態に係る仕訳装置１で会計管理データを仕訳する仕訳パラメータを、仕訳パラメータを識別する仕訳番号に関連づけて記憶する記憶装置で、図３に示すようなデータ構造とデータの例を備える。即ち、仕訳パラメータ記憶装置１２は、仕訳するデータの伝票種別、工事状態、要素（材料費、外注費、労務費、通信費、動力用水光熱費等）、金種（現金、手形、小切手等）、取引対象となる口座などのパラメータと、これらの項目によって決定される借方科目及び貸方科目が、仕訳パラメータを一意に識別する仕訳番号に関連づけられた記憶されている。ここの伝票種別は、仕訳を行う原価データ及び入出金データの、業者納品データ、出面データ、仮払立替精算データ、出張精算データ、入金データ、支払いデータなどの伝票種別である。
【００２７】
原価データ記憶装置１３は、会計管理データのうち原価データを記憶した記憶装置で、図４（ａ）に示すように、業者納品データ、業者出来高データ、社員の工事別出面実績データ、社員の出張仮払立替精算データなどに細別され、データを一意に識別する伝票番号に関連づけられている。原価データを仕訳する場合、伝票種別、要素、工事情報を仕訳キーとする。仕訳された原価データには、仕訳パラメータの仕訳番号が関連づけられている。
【００２８】
入出金データ記憶装置１４は、会計管理データのうち入出金データを記憶した記憶装置で、図４（ｂ）に示すように、入金データ、出金データなどに細別されされ、データを一意に識別する伝票番号に関連づけられている。入出金データを仕訳する場合、伝票種別、金種、口座、工事情報を仕訳キーとする。仕訳された入出金データには、仕訳パラメータの仕訳番号が関連づけられている。
【００２９】
仕訳データ記憶装置１５は、仕訳手段２２によって仕訳された原価データ記憶装置１３及び入出金データ記憶装置１４のデータを記憶する記憶装置である。
【００３０】
データ取得手段２１は、クライアント端末４ａ、４ｂ、４ｃ…から入力されたデータを取得し、原価データ記憶装置１３、入出金データ記憶装置１４に格納する手段である。データ取得手段２１は、社内通信ネットワーク３を介してクライアント端末４ａ、４ｂ、４ｃ…からデータを取得しても良い。
【００３１】
仕訳手段２２は、原価データ記憶装置１３及び入出金データ記憶装置１４に記憶された会計管理データを、仕訳パラメータ記憶装置１２に記憶された仕訳パラメータに従って仕訳して伝票番号に関連づけられた仕訳データを作成し、更に会計管理データを仕訳した仕訳パラメータの仕訳番号を、伝票番号に関連づけて、仕訳データ記憶装置１５に記憶する手段である。
【００３２】
再仕訳手段２３は、仕訳パラメータ設定手段２４によって仕訳パラメータ記憶装置１２に記憶された仕訳パラメータが変更されると、変更された仕訳パラメータの仕訳番号に関連づけられた原価データ記憶装置１３及び入出金データ記憶装置１４に記憶された会計管理データを抽出し、抽出した会計管理データを変更された仕訳パラメータで再び仕訳して、抽出した会計管理データの伝票番号に関連づけられた仕訳データと置換する手段である。
【００３３】
仕訳パラメータ設定手段２４は、会計管理データを仕訳する仕訳パラメータを、仕訳パラメータを識別する仕訳番号に関連づけて仕訳パラメータ記憶装置１２に記憶する手段である。
【００３４】
帳票作成手段２５は、仕訳データ記憶装置１５を参照して財務諸表を作成したり、原価データ記憶装置１３を参照して、原価管理表を作成する手段である。
【００３５】
通信制御装置３１は、仕訳装置１が社内通信ネットワーク３に接続するためのインタフェースとなる装置で、ＬＡＮカード、ＬＡＮボードなどのことである。入力装置３２は、仕訳装置１に対して入力を行う装置であって、キーボード、マウスなどのことである。表示装置３３は、仕訳装置１が提示する画面を表示する装置であって、液晶ディスプレイ、ＣＲＴディスプレイなどのことである。入出力制御装置３４は、仕訳装置１の入力及び出力を制御し、中央処理制御装置に伝達する装置である。
【００３６】
次に図５及び図６を参照して、仕訳手段２２及び再仕訳手段２３について具体的に説明する。
【００３７】
図５を参照して、仕訳手段２２について説明する。まず、仕訳する会計管理データが原価データＤ１の場合について説明する。原価データＤ１は、まだ一度も仕訳されていないので、仕訳番号は設定されていない。原価データＤ１を参照して、原価データの仕訳キーである伝票種別、要素、工事情報のデータを取得すると、伝票種別、要素は、それぞれ「業者納品」、「材料」であることが判る。工事データについては記載しないが、「未成」であるとする。
【００３８】
仕訳手段２２は、これらのデータを参照して、仕訳パラメータ記憶装置１２ａから適合するレコードを検出する。ここでは、仕訳番号「００１」が該当するので、伝票番号「００００１」、借方科目として「未成材料費」、貸方科目として「工事未払金」を設定した仕訳データＤ２を作成する。このとき、原価データＤ１の仕訳番号の項目に、原価データＤ１を仕訳した仕訳番号「００１」を設定し、原価データＤ３を作成する。
【００３９】
図６を参照して、再仕訳手段２３について説明する。仕訳番号「００１」について、図５に示した仕訳パラメータ記憶装置１２ａは貸方科目が「工事未払金」となっているのに対し、図６に示した仕訳パラメータ記憶装置１２ｂは、貸方科目が「未払金」に変更されている。
【００４０】
再仕訳手段２３は、原価データを検索し、仕訳番号「００１」で仕訳したレコードを抽出し、その伝票番号「００００１」を取得する。再仕訳手段２３は、仕訳データ記憶装置１５伝票番号「００００１」の仕訳データＤ２から、新しい仕訳パラメータ、即ち貸方科目を「未払金」を設定した仕訳データＤ４を作成する。新しく設けた仕訳番号で仕訳した場合、原価データＤ３の仕訳番号の項目も更新する。
【００４１】
次に、図７及び図８を参照して、本発明の最良の実施の形態に係る仕訳方法について説明する。
【００４２】
まず、ステップＳ１０１において、データ取得手段２１によって、クライアント端末４ａ乃至４ｃから入力された原価データ及び入出金データを含む会計管理データを取得し、原価データ記憶装置１３及び入出金データ記憶装置１４に記憶する。
【００４３】
次にステップＳ１０２において、仕訳手段２２によって、原価データについては伝票種別、要素、工事情報の各データを取得し、入出金データについては伝票種別、金種、口座、工事情報の各データを取得する。ステップＳ１０３において、工事情報から工事データ記憶装置１１を参照して、その工事が完成か未成かを判定する。
【００４４】
次にステップＳ１０４において、ステップＳ１０１乃至ステップＳ１０３で取得した情報を用いて、伝票種別で判定し、仕訳パターンを検索する。
【００４５】
即ち、ステップＳ１０５において、会計管理データが業者納品データについて、業者納品データの仕訳パターンから借方・貸方科目を特定する。ステップＳ１０６において、業者出来高データについて、業者出来高データの仕訳パターンから借方・貸方科目を特定する。ステップＳ１０７において、出面実績データについて、出面実績データの仕訳パターンから借方・貸方科目を特定する。ステップＳ１０８について、出張仮払立替精算データについて、出張仮払立替立替精算データの仕訳パターンから借方・貸方科目を特定する。ステップＳ１０９において、入金データについて、入金データの仕訳パターンから借方・貸方科目を特定する。ステップＳ１１０において、出金データについて、出金データの仕訳パターンから借方・貸方科目を特定する。
【００４６】
ステップＳ１１１において、ステップＳ１０５乃至ステップＳ１１０で特定した借方・貸方科目で仕訳データを作成し、仕訳データ記憶装置１５に記憶する。
【００４７】
次に、ステップＳ１１１において、それぞれのデータを仕訳した仕訳番号を、原価データ記憶装置１３及び入出金データ記憶装置１４に設定する。
【００４８】
ここで、仕訳パラメータ設定手段２４によって、仕訳パラメータ記憶装置１２の仕訳パラメータに変更があったとする。
【００４９】
仕訳パラメータが変更されると、再仕訳手段２３によって、ステップＳ１１３において、仕訳パラメータ記憶装置１２から変更になった仕訳番号を抽出し、ステップＳ１１４において、原価データ記憶装置１３及び入出金データ記憶装置１４から、変更になった仕訳番号を持つデータを検索し、抽出する。
【００５０】
更にステップＳ１１５において、抽出されたデータについて、仕訳データの再作成を行い、仕訳データ記憶装置１５に記憶する。
【００５１】
次に図９乃至図１１を参照して、本発明の最良の実施の形態に係る仕訳装置１が提示する画面の例を説明する。
【００５２】
まず図９は、仕訳パラメータ設定手段２４において、仕訳パラメータを設定する場合の仕訳パターン設定画面Ｐ１０１の一例である。仕訳パターン提示部１１１において、仕訳番号（仕訳パターン）を指定する。仕訳パターンリスト部１１２において、伝票区分、部門コード、工事コード、担当者コード、目的コード、契約先コード、銀行コード、業者コード、要素コードなどを指定して、この仕訳番号に該当する伝票のパターンを登録する。仕訳パターン設定部１１６において、納品データ、入金データに設定された要素、金種、部門等を特定する。仕訳パターン出力設定部１１３において、仕訳パターン設定部１１６で特定した情報に該当する科目を設定する。適用編集部１１４は、仕訳に設定する適用の情報を設定する。コメント部１１５において、この仕訳番号の仕訳について、設定者がコメントを記入する。仕訳パターン設定画面Ｐ１０１で設定された仕訳パターンは、仕訳パラメータ設定手段２４によって、仕訳パラメータ記憶装置１２に記憶される。
【００５３】
図１０は、データ取得手段２１によって、業者納品データを登録する納品入力画面Ｐ１０２の一例である。納品データ入力部１２１において、納品データのうち、発生部門、伝票日付、注文番号、業者名、伝票形式などを登録し、明細入力部１２２において、納品物の明細を入力する。納品入力画面Ｐ１０２で登録された情報は、データ取得手段２１によって、原価データ記憶装置１３に記憶される。
【００５４】
図１１は、仕訳伝票提示画面Ｐ１０３の一例であり、納品データから作成された仕訳伝票である。借方に原価科目（納品伝票に設定された要素により変動する）が設定され、貸方に工事未払金が設定されている。
【００５５】
本発明の最良の実施の形態によれば、仕訳前のデータに、仕訳パラメータの仕訳番号を付与することにより、仕訳パラメータが変更された場合でも、変更レコードを容易に特定できるので、再仕訳を容易に行うことができる。
【００５６】
更に、仕訳前のデータと仕訳後のデータを伝票番号で関連づけることにより、仕訳パラメータが変更された場合でも、仕訳後のデータの追跡を容易に行うことができる。
【００５７】
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなる。
【００５８】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００５９】
【図１】図１は、本発明の最良の実施の形態に係る仕訳装置の機能ブロック図と、仕訳装置を用いた仕訳システムのシステム構成図である。
【図２】図２は、本発明の最良の実施の形態に係る工事データ記憶装置のデータ構造とデータの一例を示した図である。
【図３】図３は、本発明の最良の実施の形態に係る仕訳パラメータ記憶装置のデータ構造とデータの一例を示した図である。
【図４】図４（ａ）は、原価データ記憶装置のデータの種類を示した図で、図４（ｂ）は、入出金データのデータの種類を示した図である。
【図５】図５は、本発明の最良の実施の形態に係る仕訳手段を説明する図である。
【図６】図６は、本発明の最良の実施の形態に係る再仕訳手段を説明する図である。
【図７】図７は、本発明の最良の実施の形態に係る仕訳方法のフローチャートである。（その１）
【図８】図８は、本発明の最良の実施の形態に係る仕訳方法のフローチャートである。（その２）
【図９】図９は、本発明の最良の実施の形態に係る仕訳パターン設定画面の画面の一例である。
【図１０】図１０は、本発明の最良の実施の形態に係る納品入力画面の画面の一例である。
【図１１】図１１は、本発明の最良の実施の形態に係る仕訳伝票提示画面の画面の一例である。
【符号の説明】
【００６０】
１…仕訳装置
２…仕訳システム
３…社内通信ネットワーク
４ａ〜４ｃ…クライアント端末
１１…工事データ記憶装置
１２…仕訳パラメータ記憶装置
１３…原価データ記憶装置
１４…入出金データ記憶装置
１５…仕訳データ記憶装置
２１…データ取得手段
２２…仕訳手段
２３…再仕訳手段
２４…仕訳パラメータ設定手段
２５…帳票作成手段
３１…通信制御装置
３２…入力装置
３３…表示装置
３４…入出力制御装置
１１１…仕訳パターン提示部
１１２…仕訳パターンリスト部
１１３…仕訳パターン出力設定部
１１４…適用編集部
１１５…コメント部
１１６…仕訳パターン設定部
１２１…納品データ入力部
１２２…明細入力部
１３１…仕訳データ入力部
１３２…明細入力部
【図１】
2005084915.tif 000003
【図２】
2005084915.tif 000004
【図３】
2005084915.tif 000005
【図４】
2005084915.tif 000006
【図５】
2005084915.tif 000007
【図６】
2005084915.tif 000008
【図７】
2005084915.tif 000009
【図８】
2005084915.tif 000010
【図９】
2005084915.tif 000011
【図１０】
2005084915.tif 000012
【図１１】
2005084915.tif 000013